(57)【特許請求の範囲】
【請求項１】
ホストコンピュータと通信可能に接続された検体測定装置であって、
検体容器を載置するための検体容器載置部と、
前記検体容器載置部に載置された検体容器から読取位置で識別情報を読み取る読取部と、
表示部と、
操作者が識別情報の入力を行う入力画面の表示を指示するための表示指示手段と、
前記検体容器載置部を、読取位置を介して吸引位置に移送する移送部と、
吸引位置に移送された検体容器内の検体を吸引して測定する検体測定部と、
操作者が前記検体測定部による検体測定の開始を指示するための開始指示手段と、
制御部と、を備え、
前記入力画面は、検体の識別情報を入力するための識別情報入力部と、前記ホストコンピュータからのオーダの取得要否を入力するための要否入力部と、測定項目を入力するための測定項目入力部とを含み、
前記制御部は、
前記検体容器載置部に検体容器が載置された状態で前記開始指示手段により検体測定開始指示を受付けると、前記検体容器載置部を読取位置に移送して前記読取部による識別情報の読取を行った後、吸引位置に移送するように前記移送部および前記読取部を制御するとともに、読み取った識別情報に基づいて前記ホストコンピュータからオーダを取得し、
前記検体容器載置部に検体容器が載置された状態で前記表示指示手段により表示指示を受付けると、前記入力画面を前記表示部に表示させ、
前記入力画面の識別情報入力部に識別情報が入力され、前記要否入力部においてオーダの取得が要求されている場合に、前記開始指示手段により検体測定開始指示を受付けると、前記検体容器載置部を吸引位置に移送するように前記移送部を制御するとともに、前記識別情報入力部に入力された識別情報に基づいて前記ホストコンピュータからオーダを取得し、
前記入力画面の前記識別情報入力部に識別情報が入力され、前記要否入力部においてオーダの取得が要求されていない場合に、前記開始指示手段により検体測定開始指示を受付けると、前記検体容器載置部を吸引位置に移送するように前記移送部を制御するとともに、前記測定項目入力部において入力された測定項目を前記検体測定部に測定させる、
ことを特徴とする検体測定装置。
【請求項２】
請求項１に記載の検体測定装置において、
前記制御部は、前記入力画面の前記識別情報入力部に識別情報が入力された場合に、前記開始指示手段により検体測定開始指示を受付けると、読み取りを行わないように前記読取部を制御するとともに、前記検体容器載置部を吸引位置に移送するように前記移送部を制御する、
ことを特徴とする検体測定装置。
【請求項３】
請求項１または２に記載の検体測定装置において、
前記制御部は、前記読取部により識別情報を取得できなかった場合、その旨を操作者へ通知する処理を実行するとともに、前記検体容器載置部を検体容器の載置位置に戻すように前記移送部を制御する、
ことを特徴とする検体測定装置。
【請求項４】
請求項１ないし３の何れか一項に記載の検体測定装置において、
前記制御部は、前記要否入力部においてオーダの取得が要求されている場合であって、前記識別情報入力部に入力された識別情報に基づいて前記ホストコンピュータからオーダが取得できない場合、識別情報の再入力を促す処理を実行する、
ことを特徴とする検体測定装置。
【請求項５】
請求項４に記載の検体測定装置において、
前記制御部は、前記要否入力部においてオーダの取得が要求されている場合、前記識別情報入力部に入力された識別情報に基づいて前記ホストコンピュータからのオーダの取得が完了するまで、前記開始指示手段を無効化する処理を実行する、
ことを特徴とする検体測定装置。
【請求項６】
請求項５に記載の検体測定装置において、
前記制御部は、前記要否入力部においてオーダの取得が要求されている場合であって、前記識別情報入力部に入力された識別情報に基づいて前記ホストコンピュータからオーダが取得できた場合、前記開始指示手段を有効化する処理を実行する、
ことを特徴とする検体測定装置。
【請求項７】
請求項１ないし６の何れか一項に記載の検体測定装置において、
複数の検体容器を保持可能な検体ラックを搬送する搬送部と、
操作者が前記検体測定部による連続測定の中断を指示するための中断指示手段と、を備え、
前記検体測定部は、前記搬送部によって順次搬送される検体容器中の検体を連続的に測定可能であり、
前記制御部は、前記中断指示手段により中断が指示されると、連続測定が中断されるように前記搬送部と前記検体測定部とを制御するとともに、前記検体容器載置部を検体容器の載置位置に移送するように前記移送部を制御する、
ことを特徴とする検体測定装置。
【請求項８】
請求項７に記載の検体測定装置において、
前記制御部は、前記中断指示手段によって中断が指示されると、前記表示指示手段を有効化する処理を実行する、
ことを特徴とする検体測定装置。
【請求項９】
請求項１ないし８の何れか一項に記載の検体測定装置において、
検体容器の載置位置と吸引位置との間で、前記検体容器載置部に検体容器が載置されているか否かを検知する容器検知部をさらに備え、
前記制御部は、前記開始指示手段によって検体測定の開始が指示された場合であって、前記容器検知部によって検体容器を検知できなかった場合、前記検体容器載置部を載置位置に戻すように前記移送部を制御する、
ことを特徴とする検体測定装置。
【発明の詳細な説明】
【技術分野】
【０００１】
本発明は、検体容器に収容された検体を測定する検体測定装置に関する。
【背景技術】
【０００２】
現在、血液や尿等の臨床検体を処理するための検体処理装置が、医療施設において用いられている。
【０００３】
特許文献１には、通常検体を収容した検体容器を保持したラックを搬送して検体容器を順次装置内部に取り込んで測定を行いつつ、通常検体に優先して測定されるべき優先検体を、通常検体の測定に割り込んで測定することが可能な検体分析装置が開示されている。この装置は、通常検体を測定する場合には、検体容器を装置内部に取り込んで、装置内部のバーコード読取部により検体容器に貼付されたバーコードを読み取る。また、この装置は、優先検体を測定する場合には、優先検体測定指示画面から優先検体の検体番号および測定項目をユーザが手入力する。
【先行技術文献】
【特許文献】
【０００４】
【特許文献１】特開２０１０−３２４８９号公報
【発明の概要】
【発明が解決しようとする課題】
【０００５】
優先検体を収容した検体容器には、バーコードが付されていないものに限らず、バーコードが付されているものも存在する。しかしながら、特許文献１の検体分析装置では、優先検体を測定する場合には検体番号を必ず手入力しなければならず、バーコードが付された優先検体であっても、バーコード読取部にバーコードを読み取らせることができなかった。そのため、より円滑に優先検体の識別情報を入力することを可能にする技術が望まれていた。
【０００６】
本発明は、かかる課題に鑑みてなされたものであり、検体の識別情報を円滑に入力することが可能な検体測定装置を提供することを目的とする。
【課題を解決するための手段】
【０００７】
本発明の主たる態様は、ホストコンピュータと通信可能に接続された検体測定装置に関する。この態様に係る検体測定装置は、検体容器を載置するための検体容器載置部と、前記検体容器載置部に載置された検体容器から読取位置で識別情報を読み取る読取部と、表示部と、操作者が識別情報の入力を行う入力画面の表示を指示するための表示指示手段と、前記検体容器載置部を、読取位置を介して吸引位置に移送する移送部と、吸引位置に移送された検体容器内の検体を吸引して測定する検体測定部と、操作者が前記検体測定部による検体測定の開始を指示するための開始指示手段と、制御部と、を備える。ここで、前記入力画面は、検体の識別情報を入力するための識別情報入力部と、前記ホストコンピュータからのオーダの取得要否を入力するための要否入力部と、測定項目を入力するための測定項目入力部とを含む。そして、前記制御部は、前記検体容器載置部に検体容器が載置された状態で前記開始指示手段により検体測定開始指示を受付けると、前記検体容器載置部を読取位置に移送して前記読取部による識別情報の読取を行った後、吸引位置に移送するように前記移送部および前記読取部を制御するとともに、読み取った識別情報に基づいて前記ホストコンピュータからオーダを取得し、前記検体容器載置部に検体容器が載置された状態で前記表示指示手段により表示指示を受付けると、前記入力画面を前記表示部に表示させ、前記入力画面の識別情報入力部に識別情報が入力され、前記要否入力部においてオーダの取得が要求されている場合に、前記開始指示手段により検体測定開始指示を受付けると、前記検体容器載置部を吸引位置に移送するように前記移送部を制御するとともに、前記識別情報入力部に入力された識別情報に基づいて前記ホストコンピュータからオーダを取得し、前記入力画面の前記識別情報入力部に識別情報が入力され、前記要否入力部においてオーダの取得が要求されていない場合に、前記開始指示手段により検体測定開始指示を受付けると、前記検体容器載置部を吸引位置に移送するように前記移送部を制御するとともに、前記測定項目入力部において入力された測定項目を前記検体測定部に測定させる。
【０００８】
本態様に係る検体測定装置によれば、検体容器載置部に検体容器を載置した状態で開始指示手段による指示を行えば読取部により識別情報を入力でき、検体容器載置部に検体容器を載置した状態で表示指示手段による指示を行えば識別情報の入力画面を表示させることができる。よって、識別情報の入力が円滑に行われ得る。
【０００９】
本態様に係る検体測定装置において、前記制御部は、前記入力画面の前記識別情報入力部に識別情報が入力された場合に、前記開始指示手段により検体測定開始指示を受付けると、読み取りを行わないように前記読取部を制御するとともに、前記検体容器載置部を吸引位置に移送するように前記移送部を制御するよう構成され得る。こうすると、検体の処理を迅速に進めることができる。
【００１０】
また、本態様に係る検体測定装置において、前記制御部は、前記読取部により識別情報を取得できなかった場合、その旨を操作者へ通知する処理を実行するとともに、前記検体容器載置部を検体容器の載置位置に戻すように前記移送部を制御するよう構成され得る。こうすると、ユーザは、例えば識別情報が付されていないにもかかわらず、入力を行わずに誤って開始指示をしてしまった場合に、識別情報の入力が必要であることを知ることができ、入力画面を介した識別情報の入力へと円滑に移行することができる。
【００１１】
また、本態様に係る検体測定装置において、前記制御部は、前記要否入力部においてオーダの取得が要求されている場合であって、前記識別情報入力部に入力された識別情報に基づいて前記ホストコンピュータからオーダが取得できない場合、識別情報の再入力を促す処理を実行するよう構成され得る。こうすると、ユーザは、識別情報の再入力が必要となったことを知ることができる。
【００１２】
この場合に、前記制御部は、前記要否入力部においてオーダの取得が要求されていると、前記識別情報入力部に入力された識別情報に基づいて前記ホストコンピュータからのオーダの取得が完了するまで、前記開始指示手段を無効化する処理を実行するよう構成され得る。こうすると、識別情報の取得中に、誤って検体処理部による処理が行われることを防ぐことができる。
【００１３】
この場合、前記制御部は、前記要否入力部においてオーダの取得が要求されている場合であって、前記識別情報入力部に入力された識別情報に基づいて前記ホストコンピュータからオーダが取得できた場合、前記開始指示手段を有効化する処理を実行するよう構成され得る。こうすると、オーダに基づく検体の処理を円滑に進めることができる。
【００１４】
また、本態様に係る検体測定装置は、複数の検体容器を保持可能な検体ラックを搬送する搬送部と、操作者が前記検体測定部による連続測定の中断を指示するための中断指示手段と、を備える構成とされ得る。ここで、前記検体測定部は、前記搬送部によって順次搬送される検体容器中の検体を連続的に測定可能であり、  前記制御部は、前記中断指示手段により中断が指示されると、連続測定が中断されるように前記搬送部と前記検体測定部とを制御するとともに、前記検体容器載置部を検体容器の載置位置に移送するように前記移送部を制御するよう構成され得る。こうすると、連続測定が中断されるとともに検体容器載置部が載置位置に移送されるため、検体の載置及び処理の開始を迅速に行うことができる。
【００１５】
この場合、前記制御部は、前記中断指示手段によって中断が指示されると、前記表示指示手段を有効化する処理を実行するよう構成され得る。こうすると、連続処理を中断してはじめて入力画面を表示させることができるようになるため、操作者による誤入力を防止することができる。
【００１６】
また、本態様に係る検体測定装置は、検体容器の載置位置と吸引位置との間で、前記検体容器載置部に検体容器が載置されているか否かを検知する容器検知部をさらに備える。ここで、前記制御部は、前記開始指示手段によって検体測定の開始が指示された場合であって、前記容器検知部によって検体容器を検知できなかった場合、前記検体容器載置部を載置位置に戻すように前記移送部を制御するよう構成され得る。こうすると、操作者が検体容器を載置せずに誤って開始指示をしてしまった場合に、検体容器を迅速に載置することができる。
【発明の効果】
【００１７】
以上のとおり、本発明によれば、検体の識別情報を円滑に入力することが可能な検体測定装置を提供することができる。
【００１８】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態により何ら制限されるものではない。
【図面の簡単な説明】
【００１９】
【図１】実施の形態に係る検体処理装置の外観を示す斜視図である。
【図２】実施の形態に係る検体容器、検体ラックおよびチューブの構成を示す図である。
【図３】実施の形態に係る搬送ユニットおよび測定ユニットを上側から見た場合の構成を示す平面図である。
【図４】実施の形態に係る検体容器搬送部の近傍を示す平面図である。
【図５】実施の形態に係るバーコードユニットによる読み取り動作について説明する図である。
【図６】実施の形態に係る搬送ユニットおよび測定ユニットの構成の概要を示す図である。
【図７】実施の形態に係る情報処理装置の構成を示す図である。
【図８】実施の形態に係る情報処理装置の表示部に表示されるコントロールメニュー画面およびマニュアル測定画面を示す図である。
【図９】実施の形態に係るサンプラ測定が行われているときに、優先検体の測定が行われる場合の情報処理装置の処理を示すフローチャートである。
【図１０】実施の形態に係るサンプラ測定が行われているときに、優先検体の測定が行われる場合の情報処理装置の処理を示すフローチャートである。
【図１１】実施の形態に係る受付処理を示すフローチャートである。
【図１２】実施の形態に係る情報処理装置の表示部に表示されるエラー画面を示す図である。
【図１３】実施の形態に係るサンプラ測定が行われているときに、優先検体の測定が行われる場合の情報処理装置の処理を示すフローチャートの変更例である。
【発明を実施するための形態】
【００２０】
本実施の形態は、血液に関する検査および分析を行うための検体分析装置に本発明を適用したものである。
【００２１】
以下、本実施の形態に係る検体分析装置について、図面を参照して説明する。
【００２２】
図１は、検体分析装置１の外観を示す斜視図である。本実施の形態に係る検体分析装置１は、搬送ユニット２と、測定ユニット３と、情報処理装置４から構成されている。また、本実施の形態の検体分析装置１は、通信ネットワークを介してホストコンピュータ５（図６参照）と通信可能に接続されている。
【００２３】
搬送ユニット２は、測定ユニット３の前方に配置されており、右テーブル２１と、左テーブル２２と、右テーブル２１と左テーブル２２とをつなぐラック搬送部２３とを備えている。右テーブル２１と左テーブル２２は、１０本の検体容器Ｔを保持可能な複数の検体ラックＬを収容することができる。
【００２４】
図２（ａ）、（ｂ）は、検体容器Ｔと検体ラックＬの構成を示す図である。同図（ａ）は、検体容器Ｔの外観を示す斜視図であり、同図（ｂ）は、１０本の検体容器Ｔが保持されている検体ラックＬの外観を示す斜視図である。なお、同図（ｂ）には、検体ラックＬが搬送ユニット２に載置されるときの向き（図１の前後左右）が併せて示されている。
【００２５】
図２（ａ）を参照して、検体容器Ｔは、透光性を有するガラスまたは合成樹脂により構成された管状容器であり、上端が開口している。内部には患者から採取された血液検体が収容され、上端の開口は蓋部ＣＰにより密封されている。検体容器Ｔの側面には、バーコードラベルＢＬ１が貼付されている。バーコードラベルＢＬ１には、検体ＩＤを示すバーコードが印刷されている。
【００２６】
図２（ｂ）を参照して、検体ラックＬには、１０本の検体容器Ｔを垂直状態（立位状態）で並べて保持することが可能となるよう、図示の如く保持位置１〜１０に１０個の保持部が形成されている。また、検体ラックＬの後方の側面には、図示の如く、バーコードラベルＢＬ２が貼付されている。バーコードラベルＢＬ２には、ラックＩＤを示すバーコードが印刷されている。
【００２７】
図２（ｃ）は、微量な検体を収容するためのチューブＭの構成を示す図である。チューブＭは、検体容器Ｔよりも小型に構成されており、後述する優先検体の測定時に、検体容器セット部３２１ｂにセットされる。なお、チューブＭには、バーコードラベルは貼付されない。
【００２８】
図１に戻って、搬送ユニット２は、ユーザが右テーブル２１に載置した検体ラックＬを収容する。また、搬送ユニット２は、右テーブル２１に収容している検体ラックＬを搬送し、検体容器Ｔが測定ユニット３に供給されるよう、検体ラックＬをラック搬送部２３の所定位置に位置付ける。さらに、搬送ユニット２は、ラック搬送部２３上にある検体ラックＬを搬送して、左テーブル２２に回収する。
【００２９】
測定ユニット３は、開閉ボタン３ａと、測定開始ボタン３ｂと、検体容器Ｔを把持することができるハンド部３１（図３参照）と、ベース３２１を備えている。ベース３２１には、検体容器Ｔをセットすることができる検体容器セット部３２１ａと、チューブＭをセットすることができる検体容器セット部３２１ｂが設置されている。
【００３０】
測定ユニット３は、前方に配置された搬送ユニット２のラック搬送部２３上にある検体容器Ｔに対して処理を行う。すなわち、測定ユニット３は、ラック搬送部２３の所定の位置において、ハンド部３１（図３参照）により検体ラックＬから検体容器Ｔを取り出して、この検体容器Ｔに収容された検体を測定ユニット３内で測定する。測定が完了すると、測定ユニット３は、この検体容器Ｔを再び元の検体ラックＬの保持部に戻す。このように、搬送ユニット２によって搬送された検体容器Ｔを、ハンド部３１によりラック搬送部２３の所定位置から順次取り出して行う測定を、以下、「サンプラ測定」と称することにする。
【００３１】
他方、開閉ボタン３ａがユーザにより押されると、測定ユニット３の前面に形成された開口部３ｃを介して、ベース３２１が測定ユニット３の前面より前方に突出し、検体容器セット部３２１ａ、３２１ｂが測定ユニット３の前面よりも前方に位置付けられる。ユーザは、検体容器セット部３２１ａまたは３２１ｂに、検体容器ＴまたはチューブＭをセットして、測定開始ボタン３ｂを押すことにより、サンプラ測定に割り込んで、緊急に測定を行いたい検体の測定を優先的に行うことができる。このように、サンプラ測定に割り込んで優先的に行う測定を、以下、「優先検体の測定」と称することにする。
【００３２】
情報処理装置４は、入力部４１と表示部４２を備えている。また、情報処理装置４は、搬送ユニット２と、測定ユニット３と、ホストコンピュータ５（図６参照）と、通信ネットワークを介して通信可能に接続されている。
【００３３】
情報処理装置４は、搬送ユニット２と測定ユニット３の動作を制御する。また、情報処理装置４は、搬送ユニット２内のバーコードリーダＢ３１（図３参照）と、測定ユニット３内のバーコードリーダＣ３１（図３参照）により検体ＩＤが読み取られると、ホストコンピュータ５（図６参照）に測定オーダの問い合わせを行う。さらに、情報処理装置４は、測定ユニット３で行われた測定結果に基づいて分析を行い、分析結果をホストコンピュータ５（図６参照）に送信する。
【００３４】
図３は、搬送ユニット２と測定ユニット３を上側からみた場合の構成を示す平面図である。また、図４は、検体容器搬送部３２の近傍を示す平面図である。
【００３５】
まず、図３および図４（ａ）、（ｂ）を参照して、サンプラ測定について説明する。
【００３６】
右テーブル２１に載置された検体ラックＬは、ラック送込機構２１ａによって前方側面が押されることにより、ラック搬送部２３の右端位置に搬送される。ラック搬送部２３の右端位置に位置付けられた検体ラックＬは、ラック搬送部２３のベルト（図示せず）によって左方向に搬送される。
【００３７】
ラック搬送部２３の中央近傍には、バーコードリーダＢ３１を備えるバーコードユニットＢが設置されている。バーコードリーダＢ３１の前方に、検体ラックＬの保持部が位置付けられると、バーコードユニットＢにより、位置付けられた保持部に検体容器Ｔが保持されているか否かが判定される。この保持部に検体容器Ｔが保持されていると、バーコードリーダＢ３１により検体容器Ｔの検体ＩＤが読み取られる。また、バーコードリーダＢ３１の前方に、検体ラックＬのバーコードラベルＢＬ２が位置付けられると、バーコードリーダＢ３１により検体ラックＬのラックＩＤが読み取られる。なお、バーコードユニットＢによる読み取り動作については、追って図５（ｃ）を参照して説明する。
【００３８】
バーコードリーダＢ３１によって検体ＩＤが読み取られた検体容器Ｔは、さらに左方向に搬送され、取込位置Ｐ１に位置付けられる。取込位置Ｐ１には、ハンド部３１が、上下方向（Ｚ軸方向）に移動可能となるよう、測定ユニット３に設置されている。取込位置Ｐ１に位置付けられた検体容器Ｔは、ハンド部３１により把持されて、検体ラックＬから上方向（Ｚ軸正方向）に取り出される。なお、検体ラックＬの搬送は、この検体容器Ｔが検体ラックＬへ戻されるまでの間、待機される。
【００３９】
検体容器搬送部３２は、検体容器セット部３２１ａ、３２１ｂが設置されたベース３２１と、ベース３２１を一点鎖線内で前後に移動させるための機構（図示せず）からなる。なお、かかる機構には、前後に移動するベルトと、このベルトを移動させるためのステッピングモータが含まれている。ベース３２１は、このベルトに設置されており、ステッピングモータの駆動に合わせて、前後に移動するよう構成されている。
【００４０】
ハンド部３１により把持された検体容器Ｔが、検体容器搬送部３２よりも上に引き上げられると、ベース３２１が移動されて、検体容器セット部３２１ａが取込位置Ｐ１に位置付けられる。図４（ａ）は、このときのベース３２１の位置を示している。この状態で、ハンド部３１が下方向（Ｚ軸負方向）に移動されて、ハンド部３１により把持されている検体容器Ｔが、検体容器セット部３２１ａにセットされる。
【００４１】
続いて、ベース３２１が後方に移動され、検体容器セット部３２１ａが、バーコードユ
ニットＣのバーコードリーダＣ３１に対向する位置（バーコード読取位置Ｐ２）に位置付けられる。図４（ｂ）は、このときのベース３２１の位置を示している。この状態で、バーコードユニットＣにより、検体容器セット部３２１ａに検体容器Ｔがセットされているか否かが判定され、検体容器Ｔがセットされている場合に、検体容器Ｔの検体ＩＤが読み取られる。なお、バーコードユニットＣによる読み取り動作については、追って図５（ａ）、（ｂ）を参照して説明する。
【００４２】
続いて、ベース３２１が後方に移動され、検体容器セット部３２１ａがピアサ３３の真下位置（吸引位置Ｐ４）に位置付けられる。ここで、ピアサ３３が下方向に移動され、吸引位置Ｐ４に位置付けられている検体容器Ｔから検体が吸引される。
【００４３】
ピアサ３３による検体の吸引が終わると、ベース３２１が前方に移動され、検体容器セット部３２１ａが再び取込位置Ｐ１に位置付けられる。取込位置Ｐ１において、検体容器Ｔは、検体容器セット部３２１ａからハンド部３１により上方向に取り出される。この状態で、ベース３２１が後方に移動された後、ハンド部３１が下方向（Ｚ軸負方向）に移動され、この検体容器Ｔは、ラック搬送部２３に位置付けられている検体ラックＬの元の保持部に戻される。
【００４４】
こうして、検体ラックＬに保持されている全ての検体容器Ｔの検体の測定が終了すると、検体ラックＬは、ラック搬送部２３の左端位置まで送られる。しかる後、検体ラックＬは、ラック押出し機構２３ａにより、左テーブル２２の後方位置に押し出される。左テーブル２２の後方位置に位置付けられた検体ラックＬは、ラック送込機構２２ａにより、左テーブル２２の前方に搬送される。こうして、右テーブル２１にある全ての検体ラックＬについて測定処理が終了すると、サンプラ測定が終了する。
【００４５】
次に、図３および図４（ｂ）〜（ｄ）を参照して、優先検体の測定について説明する。
【００４６】
ユーザにより開閉ボタン３ａ（図１参照）が押されると、ベース３２１が前方に移動され、検体容器セット部３２１ａ、３２１ｂが、それぞれ、優先検体セット位置Ｐ５ａ、Ｐ５ｂに位置付けられる。図４（ｃ）は、このときのベース３２１の位置を示している。この状態で、ユーザにより、検体容器セット部３２１ａまたは３２１ｂに、それぞれ、優先的に測定を行いたい検体を収容している検体容器ＴまたはチューブＭがセットされる。
【００４７】
測定開始ボタン３ｂ（図１参照）が押されて、優先検体の測定が開始されると、検体容器セット部３２１ａ、３２１ｂに、それぞれ検体容器ＴとチューブＭが保持されているかが判定される。検体容器セット部３２１ａに検体容器Ｔが保持されているか否かの判定は、サンプラ測定の場合と同様に、図４（ｂ）の状態でバーコードユニットＣによって行われる。検体容器セット部３２１ｂにチューブＭが保持されているか否かの判定は、センサ３４により行われる。すなわち、ベース３２１が移動され、検体容器セット部３２１ｂがセンサ３４に対応する位置（センサ読取位置Ｐ３）に位置付けられる。センサ３４は、発光部と受光部からなる透過型のセンサである。図４（ｄ）は、このときのベース３２１の位置を示している。この状態で、センサ３４により、検体容器セット部３２１ｂにチューブＭがセットされているか否かが判定される。なお、検体容器セット部３２１ａ、３２１ｂの両方に検体がセットされている場合、表示部４２にエラー画面が表示され、図４（ｃ）のようにベース３２１が測定ユニット３の前方に位置付けられる。
【００４８】
検体容器セット部３２１ａに検体容器Ｔがセットされている場合、この検体容器Ｔの検体ＩＤは上記サンプラ測定の場合と同様、図４（ｂ）の状態でバーコードリーダＣ３１により検体ＩＤが読み取られる。検体容器セット部３２１ｂにチューブＭがセットされている場合、このチューブＭの検体ＩＤは、ユーザにより入力部４１を介して入力される。
【００４９】
続いて、ベース３２１が後方に移動され、検体容器ＴまたはチューブＭがピアサ３３の真下位置（吸引位置Ｐ４）に位置付けられる。ここで、ピアサ３３が下方向に移動され、吸引位置Ｐ４に位置付けられている検体容器ＴまたはチューブＭから、検体が吸引される。
【００５０】
ピアサ３３による検体の吸引が終わると、ベース３２１が前方に移動され、再び、検体容器セット部３２１ａ、３２１ｂが、それぞれ、優先検体セット位置Ｐ５ａ、Ｐ５ｂに位置付けられる。ユーザは、吸引の終了した検体容器ＴまたはチューブＭを、検体容器セット部３２１ａまたは３２１ｂから取り出す。こうして、優先検体の測定が終了する。
【００５１】
図５は、バーコードユニットＢ、Ｃによる読み取り動作について説明する図である。同図（ａ）、（ｂ）は、バーコードユニットＣの構成を示す平面図であり、同図（ｃ）は、バーコードユニットＢの構成を示す平面図である。
【００５２】
図５（ａ）を参照して、バーコードユニットＣは、２つのローラＣ１１と、ローラＣ２１と、ベースＣ３０と、バーコードリーダＣ３１から構成されている。２つのローラＣ１１は、Ｚ軸を中心として回転するよう構成されており、ベースＣ３０上をＸ軸方向に移動可能となるよう構成されている。ローラＣ２１は、Ｚ軸を中心として回転駆動されるよう構成されており、ベースＣ３０上に固定されている。バーコードリーダＣ３１は、ベースＣ３０に固定されており、右側（Ｘ軸負方向）に位置付けられたバーコードを読み取る。
【００５３】
バーコードリーダＣ３１が、右側に位置付けられた検体容器Ｔの検体ＩＤを読み取る場合、同図（ｂ）に示す如く、２つのローラＣ１１が、検体容器Ｔの側面に接するように右側に移動される。このとき、ローラＣ１１が検体容器Ｔに当接せず、所定量以上に右側に移動可能である場合には、検体容器セット部３２１ａに、検体容器Ｔが保持されていないと判定される。この場合、ローラＣ１１が検体容器Ｔに当接する位置よりも右側に移動したことが、センサ（図示せず）によって検出される。他方、２つのローラＣ１１が検体容器Ｔに当接し、所定量以上に右側に移動しない場合には、検体容器セット部３２１ａに、検体容器Ｔが保持されていると判定される。
【００５４】
検体容器セット部３２１ａに検体容器Ｔが保持されていると判定されると、バーコードリーダＣ３１により、検体容器Ｔの検体ＩＤが読み取られる。すなわち、同図（ｂ）に示す状態で、ローラＣ１１が回転駆動されることにより、検体容器ＴがＺ軸を中心として回転され、検体容器Ｔの回転中にバーコードリーダＣ３１によりバーコードラベルＢＬ１が読み取られる。これにより、検体容器ＴのバーコードラベルＢＬ１がバーコードリーダＣ３１の反対側に位置する場合であっても、検体容器Ｔの検体ＩＤの読み取りが可能となる。
【００５５】
図５（ｃ）を参照して、バーコードユニットＢは、バーコードユニットＣと同様、２つのローラＢ１１と、ローラＢ２１と、ベースＢ３０と、バーコードリーダＢ３１から構成されている。２つのローラＢ１１は、Ｚ軸を中心として回転するよう構成されており、ベースＢ３０上をＹ軸方向に移動可能となるよう構成されている。ローラＢ２１は、Ｚ軸を中心として回転駆動されるよう構成されており、ベースＢ３０上に固定されている。バーコードリーダＢ３１は、ベースＢ３０に固定されており、前方（Ｙ軸負方向）に位置付けられたバーコードを読み取る。
【００５６】
このようにバーコードユニットＢが構成されると、バーコードユニットＢにおいても、バーコードユニットＣと同様、バーコードリーダＢ３１の前方に位置付けられた検体ラックＬの保持部に、検体容器Ｔが保持されているか否かが判断される。また、バーコードリ
ーダＢ３１の前方に位置付けられた検体容器Ｔの検体ＩＤと、検体ラックＬのラックＩＤが読み取られる。
【００５７】
図６は、搬送ユニット２と測定ユニット３の構成の概要を示す図である。
【００５８】
搬送ユニット２は、駆動部２０１と、センサ部２０２と、通信部２０３と、バーコードユニットＢを備える。
【００５９】
駆動部２０１は、搬送ユニット２内で検体ラックＬを搬送するための機構を含んでおり、センサ部２０２は、搬送ユニット２内にある検体ラックＬを検出するためのセンサを含んでいる。バーコードユニットＢには、ローラＢ１１、Ｂ２１を駆動するための機構と、バーコードリーダＢ３１が含まれている。
【００６０】
通信部２０３は、情報処理装置４と通信可能に接続されている。搬送ユニット２内の各部は、通信部２０３を介して、情報処理装置４により制御される。また、搬送ユニット２内の各部から出力される信号は、通信部２０３を介して情報処理装置４に送信される。
【００６１】
測定ユニット３は、吸引部３０１と、試料調製部３０２と、検出部３０３と、駆動部３０４と、センサ部３０５と、通信部３０６と、バーコードユニットＣを備える。
【００６２】
吸引部３０１は、ピアサ３３を介して、検体容器ＴまたはチューブＭに収容されている検体を吸引する機構を含んでいる。試料調製部３０２は、複数の反応チャンバを備えている。試料調製部３０２は、反応チャンバ内で、吸引された検体と、試薬とを混合攪拌し、測定用の試料を調製する。検出部３０３は、試料調製部３０２により調製された試料を測定する。
【００６３】
駆動部３０４は、測定ユニット３内で検体容器ＴとチューブＭを搬送するための機構を含んでいる。具体的には、駆動部３０４は、ハンド部３１を駆動させるための機構と、検体容器搬送部３２を駆動させるための機構を含んでいる。センサ部３０５は、測定ユニット３内で検体容器ＴとチューブＭを検出するためのセンサを含んでいる。具体的には、センサ部３０５は、センサ３４を含んでいる。また、センサ部３０５は、開閉ボタン３ａと測定開始ボタン３ｂが押されたことを検出するセンサを含んでいる。バーコードユニットＣには、ローラＣ１１、Ｃ２１を駆動するための機構と、バーコードリーダＣ３１が含まれている。
【００６４】
通信部３０６は、情報処理装置４と通信可能に接続されている。測定ユニット３内の各部は、通信部３０６を介して、情報処理装置４により制御される。また、測定ユニット３内の各部から出力される信号は、通信部３０６を介して情報処理装置４に送信される。
【００６５】
図７は、情報処理装置４の構成を示す図である。
【００６６】
情報処理装置４は、パーソナルコンピュータからなり、本体４０と、入力部４１と、表示部４２から構成されている。本体４０は、ＣＰＵ４０１と、ＲＯＭ４０２と、ＲＡＭ４０３と、ハードディスク４０４と、読出装置４０５と、入出力インターフェース４０６と、画像出力インターフェース４０７と、通信インターフェース４０８を有する。
【００６７】
ＣＰＵ４０１は、ＲＯＭ４０２に記憶されているコンピュータプログラムおよびＲＡＭ４０３にロードされたコンピュータプログラムを実行する。ＲＡＭ４０３は、ＲＯＭ４０２およびハードディスク４０４に記録されているコンピュータプログラムの読み出しに用いられる。また、ＲＡＭ４０３は、これらのコンピュータプログラムを実行するときに、
ＣＰＵ４０１の作業領域としても利用される。
【００６８】
ハードディスク４０４には、オペレーティングシステムおよびアプリケーションプログラムなど、ＣＰＵ４０１に実行させるための種々のコンピュータプログラムおよびコンピュータプログラムの実行に用いるデータがインストールされている。すなわち、ハードディスク４０４には、測定ユニット３から送信された測定結果を解析し、かかる解析結果に基づいて表示部４２に表示等を行うプログラム等がインストールされている。また、ハードディスク４０４には、コントロールメニュー画面Ｄ１（図８（ａ）、（ｂ）参照）と、マニュアル測定画面Ｄ２（図８（ｃ）参照）と、エラー画面Ｄ３１〜Ｄ３４（図１２（ａ）〜（ｄ）参照）を表示し、これら画面を介した入力を受け付けるためのプログラム等がインストールされている。
【００６９】
読出装置４０５は、ＣＤドライブまたはＤＶＤドライブ等によって構成されており、記録媒体に記録されたコンピュータプログラムおよびデータを読み出すことができる。入出力インターフェース４０６には、マウスやキーボードからなる入力部４１が接続されており、ユーザが入力部４１を使用することにより、情報処理装置４に指示およびデータが入力される。画像出力インターフェース４０７は、ディスプレイ等で構成された表示部４２に接続されており、画像データに応じた映像信号を、表示部４２に出力する。
【００７０】
表示部４２は、入力された映像信号をもとに、画像を表示する。表示部４２には、コントロールメニュー画面Ｄ１（図８（ａ）、（ｂ）参照）と、マニュアル測定画面Ｄ２（図８（ｃ）参照）と、エラー画面Ｄ３１〜Ｄ３４（図１２（ａ）〜（ｄ）参照）の他、各種プログラム画面が表示される。また、通信インターフェース４０８により、搬送ユニット２と、測定ユニット３と、ホストコンピュータ５に対してデータの送受信が可能となる。
【００７１】
図８（ａ）、（ｂ）は、情報処理装置４の表示部４２に表示されるコントロールメニュー画面Ｄ１を示す図である。コントロールメニュー画面Ｄ１は、表示部４２の隅に常時表示されている。
【００７２】
同図（ａ）を参照して、コントロールメニュー画面Ｄ１には、サンプラ／マニュアルボタンＤ１１が含まれている。サンプラ測定が行われている場合、サンプラ／マニュアルボタンＤ１１の表示は、同図（ａ）に示す如く、“サンプラ”となる。また、開閉ボタン３ａが押されて、検体容器セット部３２１ａ、３２１ｂが測定ユニット３の前方に位置付けられると、サンプラ／マニュアルボタンＤ１１の表示は、同図（ｂ）に示す如く、“マニュアル”となる。サンプラ／マニュアルボタンＤ１１の表示が“マニュアル”となっているときに、サンプラ／マニュアルボタンＤ１１が押下されると、図８（ｃ）に示すマニュアル測定画面Ｄ２が表示される。
【００７３】
図８（ｃ）は、情報処理装置４の表示入力部４１に表示されるマニュアル測定画面Ｄ２を示す図である。
【００７４】
マニュアル測定画面Ｄ２には、検体番号表示領域Ｄ２１と、患者ＩＤ表示領域Ｄ２２と、ディスクリート表示領域Ｄ２３と、ホスト問い合わせ表示領域Ｄ２４と、ＯＫボタンＤ２５と、キャンセルボタンＤ２６が含まれている。
【００７５】
検体番号表示領域Ｄ２１には、バーコードラベルＢＬ１の検体ＩＤと同様の文字列が入力される。患者ＩＤ表示領域Ｄ２２には、検体を採取した患者を識別するための文字列が入力される。ディスクリート表示領域Ｄ２３には、チェック欄を含む測定項目が列記されており、測定項目のチェック欄にチェックを入れることにより、検体について行う測定内容（測定オーダ）が指定される。ホスト問い合わせ表示領域Ｄ２４には、チェック欄が設
けられており、このチェック欄にチェックを入れると、検体番号表示領域Ｄ２１に入力されている検体番号に基づいて、ホストコンピュータ５に測定オーダを問い合わせるようになる。
【００７６】
ＯＫボタンＤ２５が押下されると、マニュアル測定画面Ｄ２の各表示領域に設定された内容で、検体の測定が行われる。すなわち、ホスト問い合わせ表示領域Ｄ２４にチェックが入っていない場合、ディスクリート表示領域Ｄ２３に基づいて検体の測定が行われる。ホスト問い合わせ表示領域Ｄ２４にチェックが入っている場合、検体番号表示領域Ｄ２１に入力されている検体番号に対応する測定オーダが、ホストコンピュータ５から取得され、取得された測定オーダに基づいて検体の測定が行われる。キャンセルボタンＤ２６が押下されると、マニュアル測定画面Ｄ２の各表示領域に設定された内容が破棄され、マニュアル測定画面Ｄ２が閉じられる。
【００７７】
このように、マニュアル測定画面Ｄ２が用いられると、バーコードラベルＢＬ１が貼付されていない検体容器Ｔに収容される検体の測定と、チューブＭに収容される検体の測定を、バーコードラベルＢＬ１が貼付されている検体容器Ｔに収容される検体の測定と同様に行うことができる。
【００７８】
図９は、サンプラ測定が行われているときに、優先検体の測定が行われる場合の情報処理装置４の処理を示すフローチャートである。
【００７９】
サンプラ測定が行われているときに、情報処理装置４のＣＰＵ４０１は、測定ユニット３の開閉ボタン３ａが押されたかを判定する（Ｓ１１）。開閉ボタン３ａが押されると（Ｓ１１：ＹＥＳ）、ＣＰＵ４０１は、サンプラ測定を中断して（Ｓ１２）、検体容器セット部３２１ａ、３２１ｂを測定ユニット３の前面よりも前方に引き出して、図４（ｃ）に示すように、優先検体セット位置Ｐ５ａ、Ｐ５ｂに位置付ける（Ｓ１３）。開閉ボタン３ａが押されないと（Ｓ１１：ＮＯ）、ＣＰＵ４０１は、Ｓ１１の判定を繰り返し行い、サンプラ測定を継続する。
【００８０】
ここで、サンプラ測定が中断されている状態では、搬送ユニット２のラック搬送部２３にある検体容器Ｔは、ハンド部３１により検体容器セット部３２１ａにセットされない。すなわち、ラック搬送部２３上にある検体容器Ｔは、搬送ユニット２上に留められる。これにより、検体容器搬送部３２を優先検体の測定のみに使用することが可能となり、迅速に優先検体の測定を行うことができる。なお、サンプラ測定が中断されている状態であっても、ラック搬送部２３にある検体容器Ｔが検体容器セット部３２１ａにセットされない限り、搬送ユニット２内で搬送されても良い。この場合、優先検体の測定が終了した後に、サンプラ測定が迅速に再開できるよう、ラック搬送部２３にある検体容器Ｔの位置は大きく変化しないようにするのが望ましい。
【００８１】
検体容器セット部３２１ａ、３２１ｂが引き出されると（Ｓ１３）、ＣＰＵ４０１は、表示部４２に表示されているコントロールメニュー画面Ｄ１のサンプラ／マニュアルボタンＤ１１の表示を、“サンプラ”から“マニュアル”に変更する（Ｓ１４）。続いて、入力部４１による検体番号（検体ＩＤ）の入力をユーザから受け付けるための“受付処理”が行われる（Ｓ１５）。なお、“受付処理”については、追って、図１１を参照して説明する。
【００８２】
次に、ＣＰＵ４０１は、測定開始ボタン３ｂと開閉ボタン３ａのうち、いずれのボタンがユーザにより押されたかを判定する。測定開始ボタン３ｂが押されると（Ｓ１６：ＹＥＳ）、処理が結合子Ａに進められる。これにより、処理が図１０のＳ１０１に進められる。開閉ボタン３ａが押されると（Ｓ１６：ＮＯ、Ｓ１７：ＹＥＳ）、処理がＳ１８に進め
られる。いずれのボタンも押されていない場合（Ｓ１６：ＮＯ、Ｓ１７：ＮＯ）、処理が結合子Ｂに進められる。これにより、処理がＳ１５に戻される。
【００８３】
ユーザは、優先検体の測定を終了して、サンプラ測定を再開させたい場合、検体容器セット部３２１ａ、３２１ｂから検体を取り出して、開閉ボタン３ａを押す。開閉ボタン３ａが押されると（Ｓ１７：ＹＥＳ）、ＣＰＵ４０１は、検体容器セット部３２１ａ、３２１ｂを、測定ユニット３内に引き込む（Ｓ１８）。
【００８４】
このとき、ＣＰＵ４０１は、検体容器セット部３２１ａ、３２１ｂに、検体容器ＴまたはチューブＭがセットされているか否かを判定する（Ｓ１９：ＹＥＳ）。検体容器セット部３２１ａに検体容器Ｔがセットされているか否かは、上述したようにバーコードユニットＣによって行われ、検体容器セット部３２１ｂにチューブＭがセットされているか否かは、上述したようにセンサ３４によって行われる。
【００８５】
検体容器セット部３２１ａ、３２１ｂに、検体容器ＴまたはチューブＭがセットされていると（Ｓ１９：ＹＥＳ）、ＣＰＵ４０１は、図１２（ａ）に示すエラー画面Ｄ３１を表示部４２に表示する（Ｓ２０）。さらに、ＣＰＵ４０１は、検体容器セット部３２１ａ、３２１ｂを、図４（ｃ）に示すように、測定ユニット３の前方に引き出し（Ｓ２１）、処理が結合子Ｂに進められる。これにより、処理がＳ１５に戻される。
【００８６】
他方、検体容器セット部３２１ａ、３２１ｂのいずれにも、検体容器ＴとチューブＭがセットされていないと（Ｓ１９：ＮＯ）、ＣＰＵ４０１は、サンプラ／マニュアルボタンＤ１１の表示を、“マニュアル”から“サンプラ”に変更する（Ｓ２２）。また、ＣＰＵ４０１は、Ｓ１２で中断していたサンプラ測定を再開する（Ｓ２３）。測定ユニット３の電源がＯＦＦされないと（Ｓ２４：ＮＯ）、処理がＳ１１に戻され、測定ユニット３の電源がＯＦＦされると（Ｓ２４：ＹＥＳ）、処理が終了する。
【００８７】
図１０は、結合子Ａ以降の処理を示すフローチャートである。
【００８８】
情報処理装置４のＣＰＵ４０１は、検体容器セット部３２１ａ、３２１ｂを、測定ユニット３内に引き込み（Ｓ１０１）、検体容器セット部３２１ａに検体容器Ｔがあるかを判定する（Ｓ１０２）。
【００８９】
検体容器Ｔがあると判定されると（Ｓ１０２：ＹＥＳ）、バーコードリーダＣ３１によって、検体容器Ｔに対して、バーコードの読み取り動作が行われる（Ｓ１０３）。これにより、図５（ｂ）に示したように、ローラＣ２１が回転され、検体容器Ｔが回転している間に、バーコードリーダＣ３１によってバーコードラベルＢＬ１の読み取りが行われる。他方、検体容器Ｔがないと判定されると（Ｓ１０２：ＮＯ）、ＣＰＵ４０１は、図１２（ｂ）に示すエラー画面Ｄ３２を表示部４２に表示し（Ｓ１０４）、処理がＳ１１１に進められる。
【００９０】
続いて、ＣＰＵ４０１は、Ｓ１０３の処理により、検体容器ＴのバーコードラベルＢＬ１からバーコードが読み取られたか否かを判定する（Ｓ１０５）。バーコードが読み取られた場合（Ｓ１０５：ＹＥＳ）、ＣＰＵ４０１は、読み取られたバーコードに含まれる検体ＩＤに基づいて、ホストコンピュータ５に測定オーダを問い合わせる（Ｓ１０６）。他方、バーコードが読み取られない場合（Ｓ１０５：ＮＯ）、ＣＰＵ４０１は、図１２（ｃ）に示すエラー画面Ｄ３３を、表示部４２に表示し（Ｓ１０７）、処理がＳ１１１に進められる。
【００９１】
なお、バーコードが読み取られない場合として、検体容器ＴにバーコードラベルＢＬ１
が貼付されていない場合や、検体容器ＴにバーコードラベルＢＬ１が貼付されているものの、バーコードラベルＢＬ１が傾いて貼付され、あるいは、バーコードラベルＢＬ１が汚れているために、バーコード情報が適正に取得できない場合などがある。
【００９２】
ホストコンピュータ５に測定オーダの問い合わせを行った結果、ＣＰＵ４０１は、ホストコンピュータ５から測定オーダを取得できたか否かを判定する（Ｓ１０８）。測定オーダが取得できた場合（Ｓ１０８：ＹＥＳ）、ＣＰＵ４０１は、検体容器セット部３２１ａにセットされている検体容器Ｔから、ピアサ３３により検体を吸引し（Ｓ１０９）、この検体についての測定を行う。他方、測定オーダが取得できなかった場合（Ｓ１０８：ＮＯ）、ＣＰＵ４０１は、図１２（ｄ）に示すエラー画面Ｄ３４を、表示部４２に表示し（Ｓ１０９）、処理がＳ１１１に進められる。
【００９３】
しかる後に、ＣＰＵ４０１は、検体容器セット部３２１ａ、３２１ｂを、搬送ユニット２の前方に引き出し（Ｓ１１１）、処理が結合子Ｂに進められる。これにより、処理が図９のＳ１５に戻される。
【００９４】
図１１は、受付処理を示すフローチャートである。なお、受付処理において、サンプラ／マニュアルボタンＤ１１は、アクティブとなっている。
【００９５】
情報処理装置４のＣＰＵ４０１は、サンプラ／マニュアルボタンＤ１１が押されたかを判定する（Ｓ２０１）。サンプラ／マニュアルボタンＤ１１が押されていない場合（Ｓ２０１：ＮＯ）、受付処理が終了する。サンプラ／マニュアルボタンＤ１１が押されると（Ｓ２０１：ＹＥＳ）、ＣＰＵ４０１は、マニュアル測定画面Ｄ２を表示部４２に表示し（Ｓ２０２）、測定ユニット３の前面に配された測定開始ボタン３ｂを無効にする（Ｓ２０３）。ユーザは、マニュアル測定画面Ｄ２内の各領域に、優先検体の測定を行う検体についての情報を入力する。
【００９６】
次に、マニュアル測定画面Ｄ２のＯＫボタンＤ２５とキャンセルボタンＤ２６のうち、いずれのボタンがユーザにより押されたかが判定される（Ｓ２０４、Ｓ２０５）。ＯＫボタンＤ２５が押されると（Ｓ２０４：ＹＥＳ）、処理がＳ２０６に進められる。キャンセルボタンＤ２６が押されると（Ｓ２０４：ＮＯ、Ｓ２０５：ＹＥＳ）、処理が結合子Ｂに戻される。これにより、処理が図９のＳ１５に戻される。いずれのボタンも押されていない場合（Ｓ２０４：ＮＯ、Ｓ２０５：ＮＯ）、処理がＳ２０４に戻される。
【００９７】
ＯＫボタンＤ２５が押されると（Ｓ２０４：ＹＥＳ）、ＣＰＵ４０１は、マニュアル測定画面Ｄ２のホスト問い合わせ表示領域Ｄ２４のチェック欄にチェックがあるかを判定する（Ｓ２０６）。チェックがあると（Ｓ２０６：ＹＥＳ）、検体番号表示領域Ｄ２１に入力されている検体番号（検体ＩＤ）に基づいて、ＣＰＵ４０１はホストコンピュータ５に測定オーダの問い合わせを行う（Ｓ２０７）。他方、チェックがないと（Ｓ２０６：ＮＯ）、処理がＳ２１０に進められる。
【００９８】
ホストコンピュータ５に測定オーダの問い合わせを行った結果、ＣＰＵ４０１は、ホストコンピュータ５から測定オーダを取得できたか否かを判定する（Ｓ２０８）。測定オーダが取得できなかった場合（Ｓ２０８：ＮＯ）、図１２（ｄ）に示すエラー画面Ｄ３４が、表示部４２に表示され（Ｓ２０９）、処理がＳ２０４に戻される。他方、測定オーダが取得できた場合（Ｓ２０８：ＹＥＳ）、ＣＰＵ４０１は、測定開始ボタン３ｂを有効にする（Ｓ２１０）。
【００９９】
次に、ＣＰＵ４０１は、測定開始ボタン３ｂが押されるまで処理を待機させる（Ｓ２１１）。なお、ユーザは、測定開始ボタン３ｂを押す前に、検体容器セット部３２１ａまた
は３２１ｂに、検体容器ＴまたはチューブＭをセットする。測定開始ボタン３ｂが押されると（Ｓ２１１：ＹＥＳ）、ＣＰＵ４０１は、検体容器セット部３２１ａ、３２１ｂを測定ユニット３内に引き込み（Ｓ２１２）、検体容器セット部３２１ａまたは３２１ｂに、検体容器ＴまたはチューブＭがあるか否かを判定する（Ｓ２１３）。
【０１００】
検体容器ＴまたはチューブＭがあると判定されると（Ｓ２１３：ＹＥＳ）、ＣＰＵ４０１は、検体容器ＴまたはチューブＭを、吸引位置Ｐ４に位置付け、ピアサ３３により検体を吸引し（Ｓ２１４）、この検体についての測定を行う。しかる後に、検体容器セット部３２１ａ、３２１ｂが、図４（ｃ）に示すように、測定ユニット３の前方に引き出され（Ｓ２１５）、処理が結合子Ｂに進められる。これにより、処理が図９のＳ１５に戻される。
【０１０１】
他方、検体容器ＴまたはチューブＭがないと判定されると（Ｓ２１３：ＮＯ）、図１２（ｂ）に示すエラー画面Ｄ３２が、表示部４２に表示され（Ｓ２１６）、処理がＳ２０４に戻される。なお、検体容器セット部３２１ａ、３２１ｂの両方に、検体容器ＴとチューブＭがセットされている場合も、Ｓ２１３においてＮＯと判定される。
【０１０２】
以上、本実施の形態によれば、図９および図１０に示すように、優先検体の測定が行われる場合には、検体容器セット部３２１ａに検体容器Ｔがセットされた状態で、測定開始ボタン３ｂが押されると、この検体容器Ｔからバーコード情報が読み取られ、この検体容器Ｔに収容される検体の吸引が開始される。また、検体容器セット部３２１ａに検体容器Ｔがセットされた状態で、サンプラ／マニュアルボタンＤ１１が押されると、マニュアル測定画面Ｄ２が表示される。マニュアル測定画面Ｄ２を介して検体番号等が入力された後、測定開始ボタン３ｂが押されると、この検体容器Ｔに対してバーコードの読み取り動作が行われることなく、この検体容器Ｔに収容される検体の吸引が開始される。このように、ユーザは、適宜、バーコードリーダＣ３１によるバーコード情報の入力と、マニュアル測定画面Ｄ２を介した検体番号等の入力とを選択することができるため、検体の識別情報の入力を円滑に行うことができる。
【０１０３】
なお、検体容器セット部３２１ｂにチューブＭがセットされた状態においても、サンプラ／マニュアルボタンＤ１１が押されると、マニュアル測定画面Ｄ２が表示される。マニュアル測定画面Ｄ２を介して検体番号等が入力された後、測定開始ボタン３ｂが押されると、このチューブＭに対してバーコードの読み取り動作が行われることなく、このチューブＭに収容される検体の吸引が開始される。また、ユーザは、バーコードラベルＢＬ１が適正に読み取られない検体容器Ｔを用いたような場合にも、サンプラ／マニュアルボタンＤ１１への操作により検体番号等の情報を入力することができる。
【０１０４】
また、本実施の形態によれば、図１１に示すように、受付処理においてマニュアル測定画面Ｄ２に適正に検体番号等の情報が入力されると、バーコードリーダＣ３１による読み取りが行われずに、優先検体の測定が行われる。これにより、マニュアル測定画面Ｄ２に入力された検体番号等の情報に基づいて、優先検体の処理が迅速に行われ得る。
【０１０５】
また、本実施の形態によれば、バーコードリーダＣ３１によりバーコードが読み取られなかった場合に、図１２（ｃ）に示すエラー画面Ｄ３３が表示される。また、マニュアル測定画面Ｄ２に入力された検体番号に基づいて測定オーダが取得されなかった場合に、図１２（ｄ）に示すエラー画面Ｄ３４が表示される。これにより、ユーザは、バーコードの読み取りができなかったことと、測定オーダが取得されなかったことを知ることができる。
【０１０６】
また、本実施の形態によれば、マニュアル測定画面Ｄ２が表示されてから、識別情報の
入力が完了するまで（図１１のＳ２０６：ＮＯ、Ｓ２０８：ＹＥＳ）、測定開始ボタン３ｂが無効にされる。これにより、マニュアル測定画面Ｄ２による検体番号等の入力中に、誤って優先検体の測定が開始されなくなる。
【０１０７】
また、本実施の形態によれば、サンプラ測定中に開閉ボタン３ａが押されると、サンプラ測定が中断され、サンプラ／マニュアルボタンＤ１１の表示が“マニュアル”となる。このように、サンプラ測定が中断された後で、サンプラ／マニュアルボタンＤ１１がマニュアル測定画面Ｄ２を表示できる状態となるため、マニュアル測定画面Ｄ２を介した誤入力が防止され得る。
【０１０８】
以上、本発明の実施の形態について説明したが、本発明の実施の形態はこれらに限定されるものではない。
【０１０９】
たとえば、上記実施の形態では、測定対象として血液を例示したが、尿についても測定対象とされ得る。すなわち、尿を検査する検体処理装置にも本発明を適用することができ、さらに、他の臨床検体を検査する臨床検体処理装置に本発明を適用することもできる。
【０１１０】
また、上記実施の形態では、図９に示す受付処理が、Ｓ１４とＳ１６の間で行われたが、これに限らず、Ｓ１６とＳ１７の間で行われても良く、Ｓ１７でＮＯと判定された直後で行われても良い。すなわち、受付処理は、バーコードリーダＣ３１による読み取りが行われる前であれば、どのようなタイミングで行われても良い。
【０１１１】
また、上記実施の形態では、図１０において、バーコードリーダＣ３１による読み取り動作により、バーコードが読み取られなかった場合（Ｓ１０５：ＮＯ）、エラー画面Ｄ３３が表示された後、処理が図９のＳ１５に戻された。しかしながら、これに限らず、バーコードが読み取られなかった場合に（Ｓ１０５：ＮＯ）、マニュアル測定画面Ｄ２による検体番号等の入力を受け付けるようにしても良い。
【０１１２】
図１３は、図１０のＳ１０５とＳ１０６の処理の間を変更した場合のフローチャートである。
【０１１３】
情報処理装置４のＣＰＵ４０１は、バーコードが読み取られなかった場合（Ｓ１０５：ＮＯ）、エラー画面Ｄ３３を表示部４２に表示する（Ｓ３０１）。続いて、ＣＰＵ４０１は、図８（ｃ）に示すマニュアル測定画面Ｄ２を表示部４２に表示する（Ｓ３０２）。ユーザは、マニュアル測定画面Ｄ２内の各領域に、バーコードが読み取られなかった検体容器Ｔの検体番号（検体ＩＤ）等を入力する。
【０１１４】
次に、マニュアル測定画面Ｄ２のＯＫボタンＤ２５とキャンセルボタンＤ２６のうち、いずれのボタンがユーザにより押されたかが判定される。ＯＫボタンＤ２５が押されると（Ｓ３０３：ＹＥＳ）、処理がＳ３０６に進められ、キャンセルボタンＤ２６が押されると（Ｓ３０３：ＮＯ、Ｓ３０４：ＹＥＳ）、処理がＳ３０７に進められる。いずれのボタンも押されていない場合（Ｓ３０３：ＮＯ、Ｓ３０４：ＮＯ）、処理がＳ３０３に戻される。
【０１１５】
ＯＫボタンＤ２５が押されると（Ｓ３０３：ＹＥＳ）、ＣＰＵ４０１は、マニュアル測定画面Ｄ２のホスト問い合わせ表示領域Ｄ２４のチェック欄にチェックがあるかを判定する（Ｓ３０５）。チェックがあると（Ｓ３０５：ＹＥＳ）、処理がＳ１０６に進められる。他方、チェックがないと（Ｓ３０５：ＮＯ）、この検体容器Ｔから検体を吸引し（Ｓ３０６）、この検体についての測定を行う。しかる後に、検体容器セット部３２１ａ、３２１ｂが、測定ユニット３の前方に引き出され（Ｓ３０７）、処理が結合子Ｂに進められる
。これにより、処理が図９のＳ１５に戻される。
【０１１６】
このように処理が行われた場合、バーコードリーダＣ３１によって検体ＩＤが適正に読み取られるまで読み取り動作を繰り返す必要がなく、マニュアル測定画面Ｄ２に入力された検体番号等に基づいて、優先検体の測定が行われる。よって、迅速に優先検体の測定が行われ得る。
【０１１７】
また、上記実施の形態では、サンプラ測定が行われる場合に、検体容器ＴのバーコードラベルＢＬ１は、順次バーコードリーダＢ３１、Ｃ３１によって読み取られた。ここで、バーコードリーダＢ３１、Ｃ３１がバーコードを読み取れなかった場合、ユーザが検体番号等を入力できるようにしても良い。すなわち、バーコードが読み取られなかった検体容器Ｔについては、エラー画面が表示されることに替えて、マニュアル測定画面Ｄ２を介してユーザが検体番号等を入力できるようにしても良い。これにより、サンプラ測定において順次バーコードの読み取りが行われる場合でも、マニュアル測定画面Ｄ２を用いて簡便に検体番号等を入力することが可能になる。
【０１１８】
この他、本発明の実施の形態は、特許請求の範囲に示された技術的思想の範囲内において、適宜、種々の変更が可能である。
【符号の説明】
【０１１９】
１  …  検体分析装置（検体測定装置）
２  …  搬送ユニット（搬送部）
５  …  ホストコンピュータ
３ａ  …  開閉ボタン（中断指示手段）
３ｂ  …  測定開始ボタン（開始指示手段）
３２  …  検体容器搬送部（移送部）
４２  …  表示部
３０１  …  吸引部（検体測定部）
３０２  …  試料調製部（検体測定部）
３０３  …  検出部（検体測定部）
３２１ａ、３２１ｂ  …  検体容器セット部（検体容器載置部）
４０１  …  ＣＰＵ（制御部）
Ｃ  …  バーコードユニット（容器検知部）
Ｃ３１  …  バーコードリーダ（読取部）
Ｄ１１  …  サンプラ／マニュアルボタン（表示指示手段）
Ｄ２  …  マニュアル測定画面（入力画面）
Ｔ  …  検体容器
Ｌ  …  検体ラック
【図１】
0005602603.tif 000002
【図２】
0005602603.tif 000003
【図３】
0005602603.tif 000004
【図４】
0005602603.tif 000005
【図５】
0005602603.tif 000006
【図６】
0005602603.tif 000007
【図７】
0005602603.tif 000008
【図８】
0005602603.tif 000009
【図９】
0005602603.tif 000010
【図１０】
0005602603.tif 000011
【図１１】
0005602603.tif 000012
【図１２】
0005602603.tif 000013
【図１３】
0005602603.tif 000014